(57)【要約】  【課題】上下寸法を比較的短く設定することができるとともに、部品点数を少なくするための設計の自由度に優れた回動連結機構を有してなるスクリーンを提供する。  【解決手段】複数枚のボードが回動連結機構を介して連結されてなり、それらのボードを、相互に重なり合う折り畳み姿勢から壁状に展開される使用姿勢までの間で相対的に回動させ得るように構成されたスクリーンであって、前記回動連結機構が、隣接する前記ボード間に配された連結板と、この連結板の両端部をそれぞれ回動可能に支持する対をなすケースと、これらケースを隣接する前記ボードにそれぞれ止着する止着具とを備えてなり、前記対をなすケースの各外周面に、相互に噛合し隣接する前記ボードの相対回動に伴ってその噛合位置が円周方向に移動する平歯車部がそれぞれ一体に形成されている。【選択図】図１２
2018079629.tif 000002
【特許請求の範囲】
【請求項１】
複数枚のボードが回動連結機構を介して連結されてなり、それらのボードを、相互に重なり合う折り畳み姿勢から壁状に展開される使用姿勢までの間で相対的に回動させ得るように構成されたスクリーンであって、
前記回動連結機構が、隣接する前記ボード間に配された連結板と、この連結板の両端部をそれぞれ回動可能に支持する対をなすケースと、これらケースを隣接する前記ボードにそれぞれ止着する止着具とを備えてなり、
前記対をなすケースの各外周面に、相互に噛合し隣接する前記ボードの相対回動に伴ってその噛合位置が円周方向に移動する平歯車部がそれぞれ一体に形成されているスクリーン。
【請求項２】
前記ケースが、基端部から片持ち的に延出し前記連結板の内側に位置する内延出部と、前記基端部から片持ち的に延出し前記連結板の外側に位置する外延出部とを有した側面視略コ字状をなしたものであり、
前記平歯車部が、前記内延出部の外周面に形成されている請求項１記載のスクリーン。
【請求項３】
前記回動連結機構が、前記連結板の両端部を前記ケースに枢結する枢支軸を備えたものである請求項１又は２記載のスクリーン。
【請求項４】
前記連結板、前記ケース、及び、前記枢支軸を主体にして、連結ユニットが構成されている請求項３記載のスクリーン。
【請求項５】
前記ボードが、四つのコーナー部分にそれぞれ凹欠部を備えたものであり、
前記連結ユニットが、隣接する前記ボードの隣り合う各凹欠部に配されている請求項４記載のスクリーン。
【請求項６】
前記止着具が、前記枢支軸の軸心部に設けられた貫通孔に挿入され当該枢支軸を介して前記ケースを前記ボードに定着し得る取り付けねじである請求項２、３、４又は５記載のスクリーン。
【請求項７】
前記回動連結機構が装着されていない前記凹欠部には、前記回動連結機構の前記止着具と同じ止着具を用いて化粧カバーが着脱可能に装着されている請求項５記載のスクリーン。
【発明の詳細な説明】
【技術分野】
【０００１】
本発明は、オフィス等において好適に使用されるスクリーンに関する。
【背景技術】
【０００２】
従来から、相互に連結された複数枚のボードを有し、それらのボードが相互に重なり合う折り畳み姿勢から壁状に展開される使用姿勢までの間で相対的に回動し得るように構成されたスクリーンが種々知られている。この種のスクリーンには、隣接するボードを相対回動し得るように連結する連結機構が設けられている（例えば、特許文献１を参照）。
【０００３】
ところで、連結機構には、隣接するボードが相対移動する際に各ボードの端部が整然と位置し得るようにするため、相互に噛合する複数のギアを配設してなるものが存在する。
【０００４】
ところが、従来の連結機構は、複数のギアを配設したことに起因して上下寸法が大きくなりやすく、外観を損ねる一因となっていた。しかも、従来の連結機構は、複数のギアを所定の位置に配設して組み付けるものであったため、複数のギアを含む部品点数が多いだけでなく組み付けるための作業が繁雑になりやすいものとなっていた。
【先行技術文献】
【特許文献】
【０００５】
【特許文献１】特開２００２−２５４８９１号公報
【発明の概要】
【発明が解決しようとする課題】
【０００６】
本発明は、以上のような事情に着目してなされたもので、上下寸法を比較的短く設定することができるとともに、部品点数を少なくするための設計の自由度に優れた回動連結機構を有してなるスクリーンを提供することにある。
【課題を解決するための手段】
【０００７】
すなわち、本発明は次の構成をなしている。
【０００８】
請求項１に記載の発明は、複数枚のボードが回動連結機構を介して連結されてなり、それらのボードを、相互に重なり合う折り畳み姿勢から壁状に展開される使用姿勢までの間で相対的に回動させ得るように構成されたスクリーンであって、前記回動連結機構が、隣接する前記ボード間に配された連結板と、この連結板の両端部をそれぞれ回動可能に支持する対をなすケースと、これらケースを隣接する前記ボードにそれぞれ止着する止着具とを備えてなり、前記対をなすケースの各外周面に、相互に噛合し隣接する前記ボードの相対回動に伴ってその噛合位置が円周方向に移動する平歯車部がそれぞれ一体に形成されているスクリーンである。
【０００９】
請求項２に記載の発明は、前記ケースが、基端部から片持ち的に延出し前記連結板の内側に位置する内延出部と、前記基端部から片持ち的に延出し前記連結板の外側に位置する外延出部とを有した側面視略コ字状をなしたものであり、前記平歯車部が、前記内延出部の外周面に形成されている請求項１記載のスクリーンである。
【００１０】
請求項３に記載の発明は、前記回動連結機構が、前記連結板の両端部を前記ケースに枢結する枢支軸を備えたものである請求項１又は２記載のスクリーンである。
【００１１】
請求項４に記載の発明は、前記連結板、前記ケース、及び、前記枢支軸を主体にして、連結ユニットが構成されている請求項３記載のスクリーンである。
【００１２】
請求項５に記載の発明は、前記ボードが、四つのコーナー部分にそれぞれ凹欠部を備えたものであり、前記連結ユニットが、隣接する前記ボードの隣り合う各凹欠部に配されている請求項４記載のスクリーンである。
【００１３】
請求項６に記載の発明は、前記止着具が、前記枢支軸の軸心部に設けられた貫通孔に挿入され当該枢支軸を介して前記ケースを前記ボードに定着し得る取り付けねじである請求項２、３、４又は５記載のスクリーンである。
【００１４】
請求項７に記載の発明は、前記回動連結機構が装着されていない前記凹欠部には、前記回動連結機構の前記止着具と同じ止着具を用いて化粧カバーが着脱可能に装着されている請求項５記載のスクリーンである。
【発明の効果】
【００１５】
以上説明したように本発明によれば、上下寸法を比較的短く設定することができるとともに、部品点数を少なくするための設計の自由度に優れた回動連結機構を有してなるスクリーンを提供することができる。
【図面の簡単な説明】
【００１６】
【図１】本発明の一実施形態を示す斜視図。
【図２】同実施形態における正面図。
【図３】同実施形態における平面図。
【図４】図３におけるＸ−Ｘ線断面図。
【図５】図４における部分拡大図。
【図６】図４における部分拡大図。
【図７】同実施形態における分解斜視図。
【図８】同実施形態における分解斜視図。
【図９】同実施形態における分解斜視図。
【図１０】同実施形態における分解斜視図。
【図１１】同実施形態における分解斜視図。
【図１２】同実施形態における分解斜視図。
【図１３】同実施形態における分解側面図。
【図１４】図１３におけるＹ−Ｙ線断面図。
【図１５】図１３におけるＺ−Ｚ線断面図。
【図１６】図２におけるＶ−Ｖ線断面図。
【図１７】他の実施形態を示す斜視図。
【発明を実施するための形態】
【００１７】
以下、本発明の一実施形態を、図１〜１６を参照して説明する。
【００１８】
この実施形態は、本発明を、筆記面Ｉｓを有したホワイトボードタイプのスクリーンＡに適用したものである。スクリーンＡは、オフィス等の執務空間を隔てるいわゆる衝立としての機能を発揮し得るとともにペン等を使用して所望の文字等を筆記等により表示するいわゆるホワイトボードとしての機能を発揮し得るようにしたものである。
【００１９】
スクリーンＡは、図１〜３等に示すように、二枚のボードである第一のボードＢと第二のボードＣとを回動連結機構Ｌを介して連結してなるものである。第一のボードＢの下端部には、脚体であるキャスタ脚Ｊが設けられている。第二のボードＣの下端部には、脚体であるＴ字脚Ｋが設けられている。スクリーンＡは、図３に示すように、第一のボードＢと第二のボードＣとが相互に重なり合う折り畳み姿勢（ｆ）から第一のボードＢと第二のボードＣとが壁状に展開される使用姿勢（ｕ）までの間で当該第一のボードＢと第二のボードＣとが相対的に回動し得るように構成されている。この実施形態では、第一のボードＢにはキャスタ脚Ｊが設けられており、第二のボードＣにはＴ字脚Ｋが設けられている。このため、スクリーンＡは、主としてキャスタ脚Ｊが取り付けられた第一のボードＢを、Ｔ字脚Ｋによって床面に固定的に配設させた第二のボードＣに対して回動させ得るように構成されている。
【００２０】
以下、スクリーンＡについて詳述する。
【００２１】
第一のボードＢは、図１〜７等に示すように、両面に筆記面Ｉｓを有した縦長の矩形板状をなしたものである。第一のボードＢは、左右の側枠材１と、左右の側枠材１の下端部間に配された下枠材２と、左右の側枠材１の上端部間に配された上枠材３と、各枠材１、２、３の近接している端部同士を連結するコーナーブロック４と、外面に筆記面Ｉｓを形成しており左右の側端縁が縦カバーＤを介して左右の側枠材１に支持されたホワイトボードシートＩとを備えている。
【００２２】
なお、下枠材２の下側には、下カバーＦが着脱可能に装着されている。上枠材３の上側には、上カバーＧが着脱可能に装着されている。第一のボードＢは、四つの角部に凹陥した部位である凹欠部Ｈを備えている。
【００２３】
この実施形態では、図７に示すように、左右の側枠材１、下枠材２、上枠材３、及び、コーナーブロック４によって、矩形枠状をなす構造枠体Ｅが構成されている。構造枠体Ｅの両面には、筆記面Ｉｓを形成するホワイトボードシートＩが添設されている。
【００２４】
側枠材１は、例えば、アルミ押し出し材製のものである。側枠材１は、外面にホワイトボードシートＩが添設される対をなす外壁１１と、対をなす外壁１１同士を当該外壁１１の基端部近傍において接続する接続壁１２と、外壁１１及び接続壁１２とともにコーナーブロック４装着用の嵌合部１４を形成すべく対をなす外壁１１の内面に突設された中間壁１３とを備えている。対をなす外壁１１の先端間には隙間ｓｋが設けられている。隙間ｓｋには、ホワイトボードシートＩを固定するための縦カバーＤが圧入固定されるようになっている。換言すれば、ホワイトボードシートＩの左右の側端縁は、縦カバーＤによって、側枠材１に固定されている。接続壁１２の両端近傍部には、コーナーブロック４固定用の係止窓１２１が設けられている。
【００２５】
下枠材２は、例えば、アルミ押し出し材製のものである。下枠材２は、図８及び図９において詳細を示すように、外面にホワイトボードシートＩが添設される対をなす外壁２１と、対をなす外壁２１同士を当該外壁２１の下縁部近傍において接続する底壁２２と、対をなす外壁２１同士を当該外壁２１の上縁部近傍において接続する上壁２３と、底壁２２と上壁２３との間の空間すなわち空洞ｋｄ内に板状のナット部材ｎを位置変更可能に保持するためのレール部２６を形成するべく対をなす外壁２１の内面に突設された中間壁２４と備えている。底壁２２の両端近傍部には、コーナーブロック４固定用の係止窓２２１と、脚体取り付け用のねじ挿通孔２２２と、圧入された位置決め部材ｂに外嵌する位置決め孔２２３とが設けられている。
【００２６】
第一のボードＢにおける下枠材２には、床面に支持させるための脚体であるキャスタ脚Ｊが取り付けられている。第一のボードＢにおける下枠材２は、キャスタ脚Ｊに設けられたねじである取り付けねじｊ１１が螺着されるナット部材ｎを水平方向に位置変更可能に保持し得るように構成されている。ナット部材ｎは、位置決め部材ｂにより下枠材２の所定位置に位置決め固定され得るようになっている。換言すれば、下枠材２は、その内部に空洞ｋｄが設けられている。そして、下枠材２の空洞ｋｄ内にナット部材ｎを長手方向にスライド可能に保持し得るレール部２６が形成されている。ナット部材ｎは、下枠材２のレール部２６にスライド可能に配設された平面視において略矩形板状をなしている。ナット部材ｎは、下枠材２に設けられたねじ挿通孔２２２に対応する雌ねじ孔ｎ１と、下枠材２に設けられた位置決め孔２２３に対応する連通孔ｎ２を備えている。
【００２７】
上枠材３は、前述した下枠材２と同じ枠材を上下反転させたものであるため、相当する部分については同一の符号を付して説明を省略する。
【００２８】
コーナーブロック４は、例えば合成樹脂製の一体成型品である。コーナーブロック４は、下枠材２、側枠材１、上枠材３の各外壁２１、１１、２１の外面に連続する外向き面４１１を有したブロック本体４１と、ブロック本体４１における側枠材１の端面に当接する側の面から突設された側枠材接続用の突起４２と、ブロック本体４１における下枠材２又は上枠材３の端面に当接する側の面から突設された上枠材又は下枠材接続用の突起４３とを備えたものである。この実施形態では、第一のボードＢの四箇所に設けられた四つのコーナーブロック４は全て同一の構造をなしている。
【００２９】
ブロック本体４１は、上下に形成された水平面４１２を有している。ブロック本体４１は、板状のナットｒを保持するためのナット保持凹部４１３を有している。ブロック本体４１は、ナット保持凹部４１３を水平面４１２に連通させるねじ挿通孔４１４が設けられている。
【００３０】
側枠材接続用の突起４２は、側枠材１における外壁１１と接続壁１２と中間壁１３とによって形成された嵌合部１４に内嵌する角柱状のものである。側枠材接続用の突起４２には、接続壁１２に設けられた係止窓１２１に係合し得る弾性爪４２１が設けられている。
【００３１】
上枠材又は下枠材接続用の突起４３は、上枠材３又は下枠材２における外壁２１と上壁２３と底壁２２とによって形成された嵌合部２５に内嵌する角柱状のものである。上枠材又は下枠材接続用の突起４３には、底壁２２に設けられた係止窓２２１に係合し得る弾性爪４３１が設けられている。
【００３２】
縦カバーＤは、図５、図１０、及び、図１６に示すように、例えば合成樹脂による押し出し材製のものである。縦カバーＤは、側枠材１における外壁１１の先端に形成された上下方向に延びる隙間ｓｋに嵌合し得る帯状のものある。縦カバーＤは、ホワイトボードシートＩの端縁を側枠材１に押し付けるための鍔部ｄ１を備えている。
【００３３】
下カバーＦは、図９に示すように、例えば合成樹脂による押し出し材製のものである。下カバーＦは、下枠材２の外壁２１を被覆し得るチャンネル状の形状をなしている。下カバーＦは、下枠材２におけるねじ挿通孔２２２及び位置決め孔２２３を臨む部位に位置決め孔である矩形窓ｆ１を備えている。
【００３４】
上カバーＧは、図１０に示すように、例えば合成樹脂による押し出し材製のものである。上カバーＧは、上枠材３の外壁２１を被覆し得るチャンネル状の形状をなしている。
【００３５】
凹欠部Ｈは、図７、及び、図１３に示すように、上カバーＧの端面と、下カバーＦの端面と、コーナーブロック４の水平面４１２とを主体に形成された凹んだ部位である。凹欠部Ｈは、回動連結機構Ｌ又は化粧カバーＰが嵌合し得る空間を形成している。なお、回動連結機構Ｌを構成する対をなすケース７は凹欠部Ｈに配される。凹欠部Ｈにおいて、ケース７の基端部７１及び化粧カバーＰは上カバーＧ又は下カバーＦの端面に当接するとともに上枠材３又は下枠材２の端部に外嵌し得るようになっている。
【００３６】
ホワイトボードシートＩは、図１、及び、図２に示すように、外面に所定のペンによって筆記可能且つ筆記された文字等を除去可能に構成された筆記面Ｉｓを備えている。ホワイトボードシートＩは、図１６に拡大して示すように、その左右両端縁が左右の側枠材１に装着された縦カバーＤによって当該側枠材１に止着され得るようになっている。
【００３７】
第二のボードＣは、第一のボードＢよりも幅寸法が大きく設定されている。第二のボードＣは、第一のボードＢに準じた構造をなしている。そのため、第一のボードＢと同一または相当する部分には同一の符号を付して説明を省略する。
【００３８】
スクリーンＡは、図８、及び、図９に示すように、第一のボードＢの一側端近傍に脚体であるキャスタ脚Ｊが装着されているとともに第二のボードＣの両側端近傍に脚体であるＴ字脚Ｋがそれぞれ装着されている。これらキャスタ脚Ｊ及びＴ字脚Ｋは、それぞれ下枠材２のみに取り付けられたものとなっている。
【００３９】
キャスタ脚Ｊは、単一の車輪ｊ３を有したものである。キャスタ脚Ｊは、図９等に示すように、ねじである取り付けねじｊ１１を有する取り付けベースｊ１と、取り付けベースｊ１に首振り動作可能な旋回フレームｊ２と、旋回フレームｊ２に軸着された車輪ｊ３とを具備している。キャスタ脚Ｊの取り付けベースｊ１は、スペーサｊ４を介して第一のボードＢにおける下枠材２に取り付けられている。取り付けねじｊ１１は、第一のボードＢの下枠材２に収容されたナット部材ｎの雌ねじ孔ｎ１に螺着されている。
【００４０】
スペーサｊ４は、取り付けねじｊ１１を貫通させるための貫通孔ｊ４１を有している。スペーサｊ４は、取り付けベースｊ１に上側から外嵌し得るようになっている。スペーサｊ４の上面側には、下カバーＦの位置決め孔である矩形窓ｆ１に嵌合し得る位置決め凸部たる隆起部ｊ４２が形成されている。
【００４１】
Ｔ字脚Ｋは、第二のボードＣに直交する姿勢で取り付けられている。すなわち、Ｔ字脚Ｋは、図８等に示すように、中間部に位置決め凸部たる隆起部ｋ１１を有した脚羽根ｋ１と、脚羽根ｋ１の両端部下面側に設けられた扁平キャスタｋ２とを備えている。隆起部ｋ１１には、当該Ｔ字脚Ｋを第二のボードＣの下枠材２に取り付けるためのねじである脚ねじｋ１２を挿通させるためのねじ挿通孔ｈ１が形成されている。Ｔ字脚Ｋは、隆起部ｋ１１を下カバーＦに形成された位置決め孔である矩形窓ｆ１に内嵌した状態で脚ねじｋ１２により下枠材２に取り付けられる。つまり、Ｔ字脚Ｋは、隆起部ｋ１１を矩形窓ｆ１を通過させて下枠材２の底壁に当接させた状態で脚ねじｋ１２を二つのねじ挿通孔ｈ１、２２２を通してナット部材ｎの雌ねじ孔ｎ１に螺着することにより、下枠材２に取り付けられている。
【００４２】
この実施形態のスクリーンＡは、図８、及び、図９に示すように、第一、第二のボードＢ、Ｃを、床面に支持させるための全てのキャスタ脚Ｊ及びＴ字脚Ｋが下枠材２に取り付けられたものとなっている。すなわち、下枠材２は、キャスタ脚Ｊ及びＴ字脚Ｋを取り付けるための取り付けねじｊ１１及び脚ねじｋ１２が螺着されるナット部材ｎを位置変更可能に保持し得るものとなっている。ナット部材ｎは、位置決め部材ｂにより下枠材２の所定位置に位置決め固定され得るようになっている。下枠材２は、底壁の内側面に空洞ｋｄを備えている。下枠材２の内部には、ナット部材ｎを長手方向にスライド可能に保持するレール部２６が形成されている。
【００４３】
回動連結機構Ｌは、図１０〜１５等に示すように、隣接する第一、第二のボードＢ、Ｃ間に配された連結板５と、外周面を突き合わせた姿勢で連結板５の両端部をそれぞれ枢支軸６を介して枢支する対をなすケース７と、対をなすケース７を対応する第一、第二のボードＢ、Ｃにそれぞれ止着する止着具たる取り付けねじ８とを備えている。そして、回動連結機構Ｌは、対をなすケース７の外周面に、相互に噛合する平歯車部７４が一体に形成されている。平歯車部７４を一体に設けたケース７は、隣接する第一、第二のボードＢ、Ｃが相対回動するのに伴って、当該ケース７における平歯車部７４の噛合位置が円周方向に移動するようになっている。換言すれば、回動連結機構Ｌは、連結板５と、連結板５の両端部にそれぞれ枢支軸６を介して枢結された対をなすケース７とを具備してなる連結ユニットＭを備えている。連結ユニットＭは、取り付けねじ８を介して隣接する第一、第二のボードＢ、Ｃに取り付けられている。
【００４４】
すなわち、第一、第二のボードＢ、Ｃは、四つのコーナー部分にそれぞれ凹陥した部分である凹欠部Ｈを備えている。連結ユニットＭが、対をなすケース７を隣接する第一、第二のボードＢ、Ｃの凹欠部Ｈにそれぞれ装着した状態で、第一、第二のボードＢ、Ｃ間に架設されている。
【００４５】
連結板５は、図１１、図１２、及び、図１３に示すように、両端部に軸孔５１を有した平板状のものである。連結板５における両端部の外縁は、半円弧状に形成されている。
【００４６】
ケース７は、図１１、図１２、及び、図１３に示すように、合成樹脂により一体に形成されたものである。ケース７は、凹欠部Ｈを形成する上カバーＧ又は下カバーＦの端面に突き合わせて配される基端部７１と、基端部７１からコーナーブロック４の水平面４１２に沿って片持ち的に延設された内延出部７２と、基端部７１から内延出部７２と平行をなして片持ち的に延設された外延出部７３とを備えている。すなわち、ケース７は、基端部７１から片持ち的に延出し連結板５の内側すなわち連結板５よりも側枠材１に近い箇所に位置する内延出部７２と、基端部７１から片持ち的に延出し連結板５の外側すなわち連結板５よりも側枠材１から遠い箇所に位置する外延出部７３とを有した側面視略コ字状をなしたものである。平歯車部７４は、内延出部７２の外周面に形成されている。内延出部７２は、枢支軸６が嵌合する軸保持孔７２１を備えている。内延出部７２の外周には、平歯車の略二分の一円周分に相当する歯が並べ配されてなる平歯車部７４が一体に形成されている。外延出部７３は、枢支軸６の係止鍔６１及び枢支軸６に装着される取り付けねじ８の頭部８１を収納するための収容孔７３１が形成されている。なお、対をなすケース７にそれぞれ設けられた各平歯車部７４同士が無理なく噛合し得るように、一方のケース７における平歯車部７４の歯の位置、及び他方のケース７における平歯車部７４の歯の位置が設定されている。
【００４７】
枢支軸６は、図１２に示すように、軸心部に貫通孔６２を有する中空体状のものである。枢支軸６は、外方端の外周に係止鍔６１を備えているとともに内方端の外周に抜け止めリング６４を装着するための環状溝６３を有している。枢支軸６は、筒状をなしており連結板５の軸孔５１とケース７の内延出部７２に設けられた軸保持孔７２１に嵌合して装着されるものである。枢支軸６は、係止鍔６１を連結板５の外面に当接させるとともに先端面をコーナーブロック４の水平面４１２に当接させた状態で、貫通孔６２に貫通させた取り付けねじ８によりコーナーブロック４に取り付けられている。
【００４８】
止着具である取り付けねじ８は、枢支軸６の貫通孔６２に挿着されるものである。取り付けねじ８は、当該枢支軸６を介して回動連結機構Ｌを構成するケース７を第一、第二のボードＢ、Ｃに定着するために用いられる。
【００４９】
連結板５、枢支軸６、及び、対をなすケース７によって構成された連結ユニットＭは、枢支軸６の環状溝６３に抜け止めリング６４を装着することによって各部材（連結板５、枢支軸６、及び、対をなすケース７）が離脱することなく一体的に取り扱うことができるものとなっている。連結ユニットＭは、連結板５の両端部に対をなすケース７を枢支軸６を介して回動可能に枢着してなるものである。連結ユニットＭを構成する対をなすケース７の平歯車部７４は、相互に噛合した状態が保持されている。
【００５０】
第一、第二のボードＢ、Ｃに対して連結ユニットＭを取り付ける方法は、例えば、次のようにして行われる。
【００５１】
まず、連結ユニットＭを取り付けるべき第一のボードＢと第二のボードＣとを隣接させる。
【００５２】
次いで、連結ユニットＭを、第一、第二のボードＢ、Ｃにおける上枠材３及び下枠材２の端部に配設する。より具体的には、連結ユニットＭを構成する枢支軸６の軸心が、第一、第二のボードＢ、Ｃにおける凹欠部Ｈに臨むコーナーブロック４のねじ挿通孔４１４の軸心に合致するように、連結ユニットＭを配置する。
【００５３】
続いて、取り付けねじ８を用いて、連結ユニットＭを、第一、第二のボードＢ、Ｃに定着する。具体的には、枢支軸６の貫通孔６２に挿通させた取り付けねじ８を、コーナーブロック４内に設けたナットｒに螺着する。
【００５４】
以上の過程を経て、連結ユニットＭが、第一、第二のボードＢ、Ｃに対して取り付けられることになる。連結ユニットＭが、第一、第二のボードＢ、Ｃに取り付けられた状態では、連結ユニットＭを構成する対をなすケース７の外面が、上枠材３及び下枠材２に装着された上カバーＧ及び下カバーＦの外面に略連続することになる。
【００５５】
なお、図１、図２、図４、及び、図７に示すように、回動連結機構Ｌが装着されていない第一、第二のボードＢ、Ｃの自由端側に位置してなる凹欠部Ｈには、回動連結機構Ｌを構成する取り付けねじ８と同じ大きさの取り付けねじ９を用いて化粧カバーＰが着脱可能に装着されている。
【００５６】
以上説明したように、本実施形態に係るスクリーンＡは、複数枚のボードである第一、第二のボードＢ、Ｃが回動連結機構Ｌを介して連結されている。そして、スクリーンＡは、第一、第二のボードＢ、Ｃを、相互に重なり合う折り畳み姿勢（ｆ）から壁状に展開される使用姿勢（ｕ）までの間で相対的に回動させ得るように構成されている。回動連結機構Ｌが、隣接する第一、第二のボードＢ、Ｃ間に配された連結板５と、連結板５の両端部をそれぞれ回動可能に支持する対をなすケース７と、これらケース７を隣接する第一、第二のボードＢ、Ｃにそれぞれ止着する止着具たる取り付けねじ８とを備えている。対をなすケース７の各外周面には、相互に噛合し隣接する第一、第二のボードＢ、Ｃの相対回動に伴ってその噛合位置が円周方向に移動する平歯車部７４がそれぞれ一体に形成されている。このため、上下寸法を比較的短く設定することができるとともに、部品点数を少なくするための設計の自由度に優れた回動連結機構Ｌを有してなるスクリーンＡを提供することができるものとなる。
【００５７】
つまり、対をなすケース７に平歯車部７４が一体に形成されているため、回動連結機構Ｌにおいて別体をなす複数のギアが不要となる。換言すれば、回動連結機構Ｌは、別体をなす複数のギアを配する場合に必要不可欠なギア収容構造を設ける必要がない。したがって、回動連結機構Ｌは、部品点数が最小限に抑制されており、且つ、別体のギアを配するための上下寸法を設けなくてよいため、全体的な上下寸法を短く設定し得るものとなっている。このような回動連結機構Ｌを有したスクリーンＡであれば、従来のものと比較してデザイン上の自由度が高くなるため、使用者に好適な外観を構成しやすいものとなっている。
【００５８】
ケース７が、基端部７１から片持ち的に延出し連結板５の内側に位置する内延出部７２と、基端部７１から片持ち的に延出し連結板５の外側に位置する外延出部７３とを有した側面視略コ字状をなしたものであり、平歯車部７４が、内延出部７２の外周面に形成されている。このため、ケース７は、連結板５を回動可能に支持し得る好適な構造を採り得るものとなっている。
【００５９】
回動連結機構Ｌが、連結板５の両端部をケース７に枢結する枢支軸６を備えたものである。このため、連結板５がケース７に対して好適に相対回動し得る構成を採り得るものとなっている。
【００６０】
連結板５、ケース７、及び、枢支軸６を主体にして、連結ユニットＭが構成されている。このため、連結板５、ケース７、及び、枢支軸６をユニット化された状態、すなわち一体に纏まった状態で取り扱うことができるため、部品の管理や組み立て作業等において便宜なものとなっている。
【００６１】
第一、第二のボードＢ、Ｃが、四つのコーナー部分にそれぞれ凹欠部Ｈを備えたものであり、連結ユニットＭが、隣接する第一、第二のボードＢ、Ｃの隣り合う各凹欠部Ｈに配されている。このため、連結ユニットＭが隣り合う凹欠部Ｈに配されて第一、第二のボードＢ、Ｃと上端縁又は下端縁が連続してなる好適な外観を発揮させ得るものとなっている。
【００６２】
止着具たる取り付けねじ８が、枢支軸６の軸心部に設けられた貫通孔６２に挿入され当該枢支軸６を介してケース７を第一のボードＢ又は第二のボードＣに定着し得るものである。このため、連結ユニットＭを第一、第二のボードＢ、Ｃに対して簡単に取り付け得るものとなっている。
【００６３】
回動連結機構Ｌが装着されていない第一、第二のボードＢ、Ｃにおける自由端側の凹欠部Ｈには、回動連結機構Ｌの取り付けねじ８と同じ大きさの取り付けねじ９を用いて化粧カバーＰが着脱可能に装着されている。このため、第一、第二のボードＢ、Ｃにおける自由端側の外観を好適なものとすることができるようになっている。
【００６４】
なお、本発明は、以上に詳述した実施形態に限られるものではない。
【００６５】
複数枚のボードが、三つ以上の複数枚備えたものであってもよいのはもちろんのことである。例えば、図１７に示すように、複数枚のボードとして、第一、第二のボードＢ、Ｃに加えて、第三のボードＢ’を備えたものとしている。このようなものであっても、第二のボードＢと第三のボードＢ’間に回動連結機構Ｌを配することによって容易に相対回動可能に連結した態様を実現することができるものとなる。
【００６６】
ケースの形状は、種々の形状を採用することができるものであり、上述した実施形態に示したものに限定されるものではない。ケースは、少なくとも、連結板の端部を回動可能に支持し得るものであればよい。
【００６７】
回動連結機構は、隣接するボード間に配されたものであればよい。つまり、回動連結機構は、上述した実施形態に示すように、隣り合って配された二つのボードにおける上端部間と下端部間に配されたものに限定されるものではない。回動連結機構は、隣り合って配された二つのボードにおける中間部間に配されたものであってもよい。
【００６８】
平歯車部の歯の大きさや形状については相互に好適に噛合し得るように適宜設定可能であることはいうまでもない。
【００６９】
その他、各部の具体的構成についても上記実施形態に限られるものではなく、本発明の趣旨を逸脱しない範囲で種々変形が可能である。
【符号の説明】
【００７０】
５…連結板
７…ケース
６…枢支軸
７４…平歯車部
Ａ…スクリーン
Ｂ…第一のボード（ボード）
Ｃ…第二のボード（ボード）
Ｌ…回動連結機構
【図１】
2018079629.tif 000003
【図２】
2018079629.tif 000004
【図３】
2018079629.tif 000005
【図４】
2018079629.tif 000006
【図５】
2018079629.tif 000007
【図６】
2018079629.tif 000008
【図７】
2018079629.tif 000009
【図８】
2018079629.tif 000010
【図９】
2018079629.tif 000011
【図１０】
2018079629.tif 000012
【図１１】
2018079629.tif 000013
【図１２】
2018079629.tif 000014
【図１３】
2018079629.tif 000015
【図１４】
2018079629.tif 000016
【図１５】
2018079629.tif 000017
【図１６】
2018079629.tif 000018
【図１７】
2018079629.tif 000019